(57)【要約】【課題】宛先情報記憶装置との間でやり取りされる情報量を抑制しつつ、宛先情報を取得するための検索条件を入力している過程で検索条件の妥当性を確認することができる通信装置を提供する。【解決手段】検索実行指示の入力に伴って行われる本検索部１１ａによる検索に先立ち、操作部１６から入力された検索条件が変化する度に、本検索部１１ａによる検索に用いられる検索パラメータよりも検索結果としてＬＤＡＰサーバ３１から取り出される情報量が抑制される検索パラメータを用いて、その時点で入力されている検索条件に基いてＬＤＡＰサーバ３１に対する先行検索が先行検索部１１ｂにより行われ、その先行検索部１１ｂによる先行検索によって得られた宛先情報の件数等が表示部１５に表示される。【選択図】図１
2008217705.tif 000002
【特許請求の範囲】
【請求項１】
宛先情報を検索するための検索条件及び検索実行指示の入力を受け付ける入力部と、表示部と、前記検索実行指示が入力されると、その時点で入力されている前記検索条件に基づいて所定の宛先情報記憶装置に対する検索を行い、前記検索条件に該当する前記宛先情報を前記表示部に表示する本検索部と、前記検索実行指示が入力される前の時点において、前記入力部から入力された前記検索条件が変化する度に、前記本検索部による検索よりも検索結果として前記宛先情報記憶装置から取り出される情報量が抑制された態様で、その時点で入力されている前記検索条件に基いて前記宛先情報記憶装置に対する検索を行い、前記検索条件に該当する宛先情報の件数を前記表示部に表示する先行検索部と、を備えることを特徴とする通信装置。
【請求項２】
請求項１に記載の通信装置において、
前記先行検索部は、検索結果として前記宛先情報記憶装置から取り出される情報量が抑制された態様で行った検索により抽出した宛先情報の件数が所定件数以上である場合には、抽出した宛先情報の件数を前記表示部に表示する一方、抽出した宛先情報の件数が前記所定件数未満である場合には、前記本検索部による検索と同様な態様でその時点で入力されている前記検索条件に基づく再検索を前記宛先情報記憶装置に対して行い、その検索条件に該当する前記宛先情報を前記表示部に表示することを特徴とする通信装置。
【請求項３】
請求項１又は請求項２に記載の通信装置において、
前記先行検索部は、前記本検索部が検索により抽出する宛先情報の上限件数よりも少ない件数を抽出件数の上限として検索を行うことを特徴とする通信装置。
【請求項４】
請求項１ないし請求項３のいずれかに記載の通信装置において、
前記先行検索部は、前記本検索部の検索に許容される上限検索時間よりも短い時間を検索時間の上限として検索を行うことを特徴とする通信装置。
【請求項５】
請求項１ないし請求項４のいずれかに記載の通信装置において、
前記本検索部は、前記宛先情報記憶装置から取り出す検索結果に宛先情報の属性情報と属性値情報とが含まれるような態様で検索を行い、
前記先行検索部は、前記宛先情報記憶装置から取り出す検索結果に宛先情報の属性情報と属性値情報のうち、属性情報のみが含まれるような態様で検索を行うことを特徴とする通信装置。
【請求項６】
請求項１ないし請求項５のいずれかに記載の通信装置において、
前記先行検索部は、検索結果として前記宛先情報記憶装置から取り出す宛先情報の属性の範囲を、前記本検索部が行う検索によりも制限して検索を行うことを特徴とする通信装置。
【発明の詳細な説明】
【技術分野】
【０００１】
本発明は、外部の宛先情報記憶装置に対する宛先情報の検索機能を有する通信装置に関する。
【背景技術】
【０００２】
従来技術として、通信装置において読み取った原稿の送信宛先（例えば、メールアドレス、ファクシミリ番号等）を決定するために、ネットワーク上に存在するディレクトリサーバにプロトコルＬＤＡＰ（Lightweight Directory Access Protocol）でアクセスし、宛先情報を取得するようにたものがある（例えば、特許文献１）。
【特許文献１】特開２００４−２６４９８１号公報
【発明の開示】
【発明が解決しようとする課題】
【０００３】
しかしながら、上述の従来技術では、通信装置に宛先情報を取得するための検索条件を入力してから、検索実行指示を入力してから、通信装置及びディレクトリサーバによる通信、検索処理が行われ、検索結果が通信装置に表示されるまで検索条件の妥当性が判断できない。このため、所望の宛先情報が得られるまでに、検索条件を何度も入力し直して検索を行わせる必要がある。
【０００４】
そこで、本発明の解決すべき課題は、宛先情報記憶装置との間でやり取りされる情報量を抑制しつつ、宛先情報を取得するための検索条件を入力している過程で検索条件の妥当性を確認することができる通信装置を提供することである。
【課題を解決するための手段】
【０００５】
上記の課題を解決するため、請求項１の発明では、宛先情報を検索するための検索条件及び検索実行指示の入力を受け付ける入力部と、表示部と、前記検索実行指示が入力されると、その時点で入力されている前記検索条件に基づいて所定の宛先情報記憶装置に対する検索を行い、前記検索条件に該当する前記宛先情報を前記表示部に表示する本検索部と、前記検索実行指示が入力される前の時点において、前記入力部から入力された前記検索条件が変化する度に、前記本検索部による検索よりも検索結果として前記宛先情報記憶装置から取り出される情報量が抑制された態様で、その時点で入力されている前記検索条件に基いて前記宛先情報記憶装置に対する検索を行い、前記検索条件に該当する宛先情報の件数を前記表示部に表示する先行検索部とを備える。
【０００６】
また、請求項２の発明では、請求項１の発明に係る通信装置において、前記先行検索部は、検索結果として前記宛先情報記憶装置から取り出される情報量が抑制された態様で行った検索により抽出した宛先情報の件数が所定件数以上である場合には、抽出した宛先情報の件数を前記表示部に表示する一方、抽出した宛先情報の件数が前記所定件数未満である場合には、前記本検索部による検索と同様な態様でその時点で入力されている前記検索条件に基づく再検索を前記宛先情報記憶装置に対して行い、その検索条件に該当する前記宛先情報を前記表示部に表示する。
【０００７】
また、請求項３の発明では、請求項１又は請求項２の発明に係る通信装置において、前記先行検索部は、前記本検索部が検索により抽出する宛先情報の上限件数よりも少ない件数を抽出件数の上限として検索を行う。
【０００８】
また、請求項４の発明では、請求項１ないし請求項３のいずれかの発明に係る通信装置において、前記先行検索部は、前記本検索部の検索に許容される上限検索時間よりも短い時間を検索時間の上限として検索を行う。
【０００９】
また、請求項５の発明では、請求項１ないし請求項４のいずれかの発明に係る通信装置において、前記本検索部は、前記宛先情報記憶装置から取り出す検索結果に宛先情報の属性情報と属性値情報とが含まれるような態様で検索を行い、前記先行検索部は、前記宛先情報記憶装置から取り出す検索結果に宛先情報の属性情報と属性値情報のうち、属性情報のみが含まれるような態様で検索を行う。
【００１０】
また、請求項６の発明では、請求項１ないし請求項５のいずれかの発明に係る通信装置において、前記先行検索部は、検索結果として前記宛先情報記憶装置から取り出す宛先情報の属性の範囲を、前記本検索部が行う検索によりも制限して検索を行う。
【発明の効果】
【００１１】
請求項１に記載の発明によれば、検索実行指示の入力に伴って行われる本検索部による検索に先立ち、入力部から入力された検索条件が変化する度に、前記本検索部による検索よりも検索結果として宛先情報記憶装置から取り出される情報量が抑制された態様で、その時点で入力されている検索条件に基いて宛先情報記憶装置に対する検索が先行検索部により行われ、その先行検索部による検索によって得られた宛先情報の件数が表示部に表示される。それ故、先行検索部の検索結果に基づいて表示される件数を確認しながら、検索条件を入力していくことにより、検索条件を入力している過程で検索条件の妥当性を確認することができ、迅速に所望の宛先情報を取得することができる。
【００１２】
また、先行検索部による検索では、本検索部による検索よりも検索結果として宛先情報記憶装置から取り出される情報量が抑制される態様で検索が行われるため、宛先情報記憶装置との間でやり取りされる情報量を抑制してネットワーク等の負荷を抑制しつつ、先行検索部による検索を行うことができる。
【００１３】
請求項２に記載の発明によれば、検索結果として宛先情報記憶装置から取り出される情報量が抑制された態様で行われた検索により抽出された宛先情報の件数が所定件数以上である場合には、抽出された宛先情報の件数が表示部に表示される一方、抽出された宛先情報の件数が所定件数未満である場合には、本検索部による検索と同様な態様でその時点で入力されている検索条件に基づく再検索が宛先情報記憶装置に対して行われ、その検索条件に該当する宛先情報が表示部に表示される。このように、先行検索部による検索によって得られた宛先情報の件数が所定件数未満であるような場合には、抽出された宛先情報を表示してもユーザの確認負担も軽いため、その時点における検索条件に基づいて先行検索部に本検索部と同様な態様で再検索を行わせ、それによって抽出された宛先情報を表示させることにより、ユーザの確認負担を抑制しつつ、所望の宛先情報の迅速な取得を促すことができる。
【００１４】
請求項３に記載の発明によれば、先行検索部による検索では、本検索部による検索により抽出される宛先情報の上限件数よりも少ない件数を抽出件数の上限として検索が行われるため、宛先情報記憶装置との間でやり取りされる情報量を抑制しつつ、先行検索部による検索を行うことができる。
【００１５】
請求項４に記載の発明によれば、先行検索部による検索では、本検索部による検索で許容される上限検索時間よりも短い時間を検索時間の上限として検索が行われるため、検索時間が長時間化することによる検索結果の情報量の増大を回避することができ、その結果、宛先情報記憶装置との間でやり取りされる情報量を抑制しつつ、先行検索部による検索を行うことができる。
【００１６】
請求項５に記載の発明によれば、本検索部による検索では、宛先情報記憶装置から取り出す検索結果に宛先情報の属性情報と属性値情報とが含まれるような態様で検索が行われるのに対し、先行検索部による検索では、宛先情報記憶装置から取り出す検索結果に宛先情報の属性情報と属性値情報のうち、属性情報のみが含まれるような態様で検索が行われるため、宛先情報記憶装置との間でやり取りされる情報量を抑制しつつ、先行検索部による検索を行うことができる。
【００１７】
請求項６に記載の発明によれば、先行検索部による検索では、検索結果として宛先情報記憶装置から取り出す宛先情報の属性の範囲を、本検索部による検索によりも制限して検索が行われるため、検索対象となる宛先情報の属性の範囲が広範化することによる検索結果の情報量の増大を回避することができ、その結果、宛先情報記憶装置との間でやり取りされる情報量を抑制しつつ、先行検索部による検索を行うことができる。
【発明を実施するための最良の形態】
【００１８】
図１は、本発明の第１実施形態に係る通信装置としてのファクシミリ複合装置（以下、「複合装置」という）のブロック図である。この複合装置１０の機能には、プリンタ機能、ファクシミリ機能、インターネットファクシミリ機能、コピー機能、及びスキャナ機能等が含まれている。
【００１９】
また、この複合装置１０は、ＬＡＮ（Local Area Network）等のネットワーク２１及び公衆電話回線網２２を介して各種の情報通信が行えるようになっている。ネットワーク２１は、図示しないゲートウェイを介してインターネット等の広域ネットワークに接続されている。
【００２０】
また、複合装置１０は、ネットワーク２１を介して宛先情報記憶装置としてのＬＤＡＰサーバ３１と接続されている。ＬＤＡＰサーバ３１には、ファクシミリ送信の宛先となるファクシミリ番号、インターネットファクシミリ又は電子メールの宛先となるメールアドレス、読取・保存処理（いわゆるスキャン・トゥ・フォルダ等）の送信先となる送信先（フォルダパス、保存サーバアドレス等）等の宛先情報が階層化されて分類されて保存されている。ネットワーク２１を介して複合装置１０等からＬＤＡＰ検索を行うことにより、ＬＤＡＰサーバ３１から所望の宛先情報を取得できる。
【００２１】
複合装置１０は、図１に示すように、制御部１１と、制御部１１にバス１２を介して接続されたプリンタ１３、読取部としてのスキャナ１４、表示部１５、入力部としての操作部１６、記憶部１７、モデム１８、ＮＣＵ（Network Control Unit）１９、及びネットワーク通信部２０を備えている。
【００２２】
制御部１１は、この複合装置１０の制御を統括するものであり、ＣＰＵ等を備えて構成されている。制御部１１には、機能要素として宛先情報の検索を行う本検索部１１ａ及び先行検索部１１ｂが備えられている。この本検索部１１ａ及び先行検索部１１ｂの具体的な機能については後に詳述する。
【００２３】
プリンタ１３は、例えば電子写真方式のプリンタ装置であり、図示しない他の端末装置からネットワーク２１を介して与えられたドキュメント情報、スキャナ１４によって読み取られたドキュメント情報、ファクシミリ受信又はインターネットファクシミリ受信したドキュメント情報等を記録紙等に印刷する。スキャナ１４は、原稿の読み取りを行うものであり、ファクシミリ送信及びインターネットファクシミリ送信時の原稿の読み取りや、コピー機能及びスキャナ機能使用時の原稿の読み取り等に用いられる。
【００２４】
表示部１５は、液晶表示装置等によって構成され、この複合装置１０の操作情報等の表示に用いられる。操作部１６は、複数の操作ボタンやタッチパネル等によって構成され、この複合装置１０の操作に用いられる。例えば、操作部１６は、送信対象の情報（例えば、原稿からスキャナ１４で読み取った画像情報）の送信宛先の入力や、ＬＤＡＰサーバ３１を用いて宛先情報を検索するための検索条件の入力及び検索実行指示の入力等に用いられる。
【００２５】
記憶部１７は、ＲＯＭと、ＲＡＭ等の記憶内容の書換可能な書換式の記憶装置とを備えて構成されている。ＲＯＭには、制御部１１が実行する制御プログラム等が記憶されている。書換式の記憶装置には、ファクシミリ又はインターネットファクシミリにより送受信された画像情報、コピー機能やスキャナ機能使用時に読み取られた画像情報、及び複合装置１０の設定や保守管理等に関する情報等が保存される。
【００２６】
モデム１８は、ファクシミリ通信が可能なファクシミリモデムから構成されている。また、モデム１８は、ＮＣＵ１９と直接接続されている。このモデム１８及びＮＣＵ１９はファクシミリの送受信を行うファクシミリ送受信部を構成している。ＮＣＵ１９は、アナログの公衆電話回線網（ＰＳＴＮ）２２との回線の閉結及び開放の動作を行うハードウェアであり、必要に応じてモデム１８を公衆電話回線網２２と接続する。なお、ＩＳＤＮ用インターフェースを備えることによって、デジタル回線網（ＩＳＤＮ）に接続するようにしてもよい。
【００２７】
ネットワーク通信部２０は、ＬＡＮ等のネットワーク２１を介した情報通信を担っている。より詳細には、ネットワーク通信部２０は、制御部１１と協働して、ＳＭＴＰ（Simple Mail Transfer Protocol）、ＰＯＰ（Post Office Protocol）、ＳＭＢ（Server Message Block）、ＨＴＴＰ、ＬＤＡＰ等を取り扱うための機能が備えられている。ネットワーク通信部２０の具体的な機能としては、電子メールの送受、電子メールに画像情報を添付して送受するインターネットファクシミリの送受、ＬＤＡＰサーバ３１との間の通信処理、及び、その他のＬＡＮ又はインターネットを介した情報の送受等が含まれている。
【００２８】
この複合装置１０では、後述する制御部１１の本検索部１１ａ及び先行検索部１１ｂの機能により、ファクシミリ、インターネットファクシミリの送信時、及び読取・保存処理の実行時に、送信情報の宛先情報をＬＤＡＰサーバ３１から取得できるようになっている。その本検索部１１ａ及び先行検索部１１ｂの機能等について以下に説明する。
【００２９】
本検索部１１ａは、操作部１６を介して検索実行指示が入力されると、操作部１６を介してその時点で入力されている検索条件を含む検索パラメータをＬＤＡＰサーバ３１に送る。そして、その検索パラメータに基づく検索処理がＬＤＡＰサーバ３１にて行われ、その検索パラメータに対応する検索結果（検索条件に該当する宛先情報）がＬＤＡＰサーバ３１から複合装置１０に送られてくると、本検索部１１ａがその宛先情報を表示部１５に表示する。
【００３０】
先行検索部１１ｂは、検索実行指示が入力される前の時点において、操作部１６から入力された検索条件が変化する度に（例えば、検索条件の文字列が追加される度に）、その時点で入力されている検索条件を含む検索パラメータをＬＤＡＰサーバ３１に送る。そして、その検索パラメータに基づく検索処理がＬＤＡＰサーバ３１にて行われ、その検索パラメータに対応する検索結果（検索条件に該当する宛先情報）がＬＤＡＰサーバ３１から複合装置１０に送られてくると、先行検索部１１ｂがその抽出された宛先情報の件数を表示部１５に表示する。但し、この先行検索部１１ｂによる検索（先行検索）では、本検索部１１ａによる検索（本検索）に用いられる検索パラメータよりも検索結果としてＬＤＡＰサーバ３１から取り出される情報量が抑制される検索パラメータを用いて、検索が行われるようになっている。なお、検索パラメータの具体例については後述する。
【００３１】
次に、各検索部１１ａ，１１ｂによる検索に用いられる検索パラメータ例について具体的に説明する。ＬＤＡＰ検索パラメータとしては、例えば図２に示されるものがある。この図２に示される検索パラメータのうち、baseObjectは検索範囲の基点となるエントリのパスを指定すものである。scopeは検索範囲を指定するものである。derefAliasesは別名のエントリの扱い方を指定するものである。sizelimitは読み出すエントリ数の上限を指定するものである。timelimitは検索に許容される時間の上限を指定するものである。typesOnlyは属性値を読み出すか否かを指定するものである。filterは検索条件を指定するものである。attributesは読み出す属性のリスト（範囲）を指定するものである。
【００３２】
本実施形態では、これらの検索パラメータのうち、sizelimit、timelimit、typesOnly及びattributesのうちの１つ以上についてパラメータ設定を調節することにより、先行検索時に検索結果としてＬＤＡＰサーバ３１から複合装置１０に送信される情報量を本検索時よりも抑制するようになっている。
【００３３】
例えば、検索条件「mail=yamada@test.jp」に基づいて本検索部１１ａによる本検索が行われる際の検索パラメータは、例えば図３に示される構成となる。この例では、sizelimitが「0」（検索件数の上限が無制限）に設定され、timelimitが「0」（検索時間の上限が無制限）に設定され、typesOnlyが「falses」（属性と属性値の両方を読み込む設定）に設定され、attributesが「*」（読み出す属性の範囲をすべての範囲）に設定されている。
【００３４】
これに対し、先行検索部１１ｂによる先行検索では、ＬＤＡＰサーバ３１から読み出される情報量の抑制のため、図４の(a)〜（ｄ）に示す例のような検索パラメータが用いられる。
【００３５】
（ａ）の例では、sizelimitが「50」（検索件数の上限が５０件）に設定されている。この（ａ）のパラメータを用いることにより、検索結果としてＬＤＡＰサーバ３１から読み出される宛先情報の件数が５０件までに制限され、ＬＤＡＰサーバ３１から読み出される情報量が抑制される。
【００３６】
また（ｂ）の例では、timelimitが「5」（検索時間の上限が５秒）に設定されている。この（ｂ）のパラメータを用いることにより、ＬＤＡＰサーバ３１にて行われる検索処理に許容される時間が５秒までに制限され、その結果として、検索により抽出される宛先情報の件数が抑制され、ＬＤＡＰサーバ３１から読み出される情報量が抑制される。
【００３７】
また（ｃ）の例では、typesOnlyが「true」（検索結果して属性のみを読み出し、属性値を読み出さない設定）に設定されている。この（ｃ）のパラメータを用いることにより、検索条件として「mail=yamada@test.jp」が指定されている場合、「yamada」、「Users」、「test」、「jp」、「yamada@test.jp」等の属性値が除かれ、「dn」、「cn」、「sn」、「mail」等の属性のみが検索結果としてＬＤＡＰサーバ３１から読み出され、ＬＤＡＰサーバ３１から読み出される情報量が抑制される。
【００３８】
また（ｄ）の例では、attributesが「mail」（読み出す属性をdnとmail属性のみに制限）に設定されている。この（ｃ）のパラメータを用いることにより、検索条件として「mail=yamada@test.jp」が指定されている場合、attributesによる制限により「cn」、「sn」の属性項目が除かれ、「dn」及び「mail」に関する属性項目に関する情報のみが検索結果としてＬＤＡＰサーバ３１から読み出され、ＬＤＡＰサーバ３１から読み出される情報量が抑制される。
【００３９】
ＬＤＡＰサーバ３１は、複合装置１０から検索条件を含む検索パラメータが与えられると、その検索パラメータに基づいて宛先情報の検索処理を行う、抽出した宛先情報を検索結果として複合装置１０に送出する。
【００４０】
図５は、複合装置１０による宛先情報の検索動作に関するフローチャートである。ファクシミリ送信、読取・保存処置等の際に、ＬＤＡＰサーバ３１から宛先情報を取得するために、操作部１６を介して検索条件等が入力されると、宛先情報の検索動作が行われる。
【００４１】
図５のステップＳ１では、先行検索部１１ｂにより、操作部１６を介して検索条件の入力の有無又は入力されている検索条件の変化の有無が判断され、検索条件の入力又は変化がない場合には新たな検索条件の入力又は変化が生じるまでステップＳ１の処理が繰り返される一方、検索条件の入力又は変化があった場合にはステップＳ２に進む。
【００４２】
ステップＳ２では、先行検索部１１ｂにより、その時点で入力されている検索条件を含む検索パラメータがＬＤＡＰサーバ３１に送られ、宛先情報の先行検索が行われる。このとき、検索パラメータsizelimit、timelimit、typesOnly及びattributesのうちの１つ以上についてパラメータ設定を上述のように調節することにより、検索結果としてＬＤＡＰサーバ３１から複合装置１０に送信される情報量が本検索時よりも抑制される。ＬＤＡＰサーバ３１は、複合装置１０から与えれた検索パラメータに基づいて検索処理を行い、その検索結果（抽出した宛先情報）を複合装置１０に送出する（ステップＳ１１）。
【００４３】
ステップＳ３では、先行検索部１１ｂは、先行検索によりＬＤＡＰサーバ１０から送られてきた宛先情報の件数を表示部１５に表示される。
【００４４】
ステップＳ４では、本検索部１１ａにより、操作部１６を介して本検索の実行を指示する検索実行指示が入力されたか否かが判断され、検索実行指示が入力されなた場合には、ステップＳ５に進む一方、検索実行指示が入力されない場合にはステップＳ１に戻り、検索実行指示が入力されるまでステップＳ１〜Ｓ３の処理が繰り返される。
【００４５】
ステップＳ５では、本検索部１１ａにより、その時点で入力されている検索条件を含む検索パラメータがＬＤＡＰサーバ３１に送られ、宛先情報の先行検索が行われる。このとき、検索パラメータsizelimit、timelimit、typesOnly及びattributesは上述のような通常のパラメータ設定とされる。ＬＤＡＰサーバ３１は、複合装置１０から与えれた検索パラメータに基づいて検索処理を行い、その検索結果（抽出した宛先情報）を複合装置１０に送出する（ステップＳ１２）。
【００４６】
ステップＳ６では、本検索部１１ａは、ＬＤＡＰサーバ１０から検索結果として送られてきた宛先情報を表示部１５に表示する。その表示された宛先情報の中に所望の宛先情報が含まれている場合には、操作部１６等を介してその宛先情報を送信情報の送信先として指定することができる。
【００４７】
以上のように、本実施形態によれば、検索実行指示の入力に伴って行われる本検索部１１ａによる検索に先立ち、操作部１６から入力された検索条件が変化する度に、本検索部１１ａによる検索に用いられる検索パラメータよりも検索結果としてＬＤＡＰサーバ３１から取り出される情報量が抑制される検索パラメータを用いて、その時点で入力されている検索条件に基いてＬＤＡＰサーバ３１に対する先行検索が先行検索部１１ｂにより行われ、その先行検索部１１ｂによる先行検索によって得られた宛先情報の件数等が表示部１５に表示される。それ故、先行検索部１１ｂの検索結果に基づいて表示される件数を確認しながら、検索条件を入力していくことにより、検索条件を入力している過程で検索条件の妥当性を確認することができ、迅速に所望の宛先情報を取得することができる。
【００４８】
また、先行検索部１１ｂによる検索では、本検索部１１ａによる検索に用いられる検索パラメータよりも検索結果としてＬＤＡＰサーバ３１から取り出される情報量が抑制される検索パラメータを用いて検索が行われるため、ＬＤＡＰサーバ３１との間でやり取りされる情報量を抑制してネットワーク２１等の負荷を抑制しつつ、先行検索部１１ｂによる検索を行うことができる。
【００４９】
また、検索パラメータsizelimit、timelimit、typesOnly及びattributesのうちの１つ以上についてパラメータ設定を調節することにより、先行検索部１１ｂによる先行検索時に検索結果としてＬＤＡＰサーバ３１から複合装置１０に送信される情報量を本検索部１１ａによる本検索時よりも抑制するため、簡単なパラメータ調節により、ＬＤＡＰサーバ３１との間でやり取りされる情報量を抑制しつつ、先行検索部１１ｂによる先行検索を行うことができる。
【００５０】
図６は、本発明の第２実施形態に係る通信装置としての複合装置の宛先情報の検索動作に関するフローチャートである。本実施形態に係る複合装置１０が上述の第１実施形態に係る複合装置１０と実質的に異なる点は、先行検索部１１ｂの処理動作の一部のみであり、ここでは先行検索部１１ｂの処理動作の相違点を中心に説明を行い、説明の重複を回避する。
【００５１】
本実施形態に係る先行検索部１１ｂは、検索実行指示の入力に先行して上述のＬＤＡＰサーバ３１から取り出す情報量を抑制する検索パラメータを用いて行った先行検索により、検索結果としてＬＤＡＰサーバ３１から送られてきた宛先情報の件数が所定件数以上である場合には、その抽出した宛先情報の件数を表示部１５に表示するようになっている。一方、その先行検索により抽出した宛先情報の件数が所定件数未満である場合には、その時点で入力されている検索条件に基づいて、本検索部１１ａによる本検索と同様な検索パラメータ（通常パラメータ）を用いた再検索を行い、その再検索によって抽出された宛先情報を表示部１５に表示するようになっている。
【００５２】
以下に、図６のフローチャートを参照して本実施形態に係る複合装置１０による宛先情報の検索処理について説明する。なお、図６中のステップＳ２１，Ｓ２２，Ｓ２７〜２９については、図５のステップＳ１，Ｓ２，Ｓ４〜Ｓ６と処理内容が実質的に同一であるため、簡単な説明に留める。
【００５３】
図６のステップＳ２１では、先行検索部１１ｂにより、操作部１６を介して検索条件の入力の有無又は入力されている検索条件の変化の有無が判断され、検索条件の入力又は変化があった場合にはステップＳ２２に進む。
【００５４】
ステップＳ２２では、先行検索部１１ｂにより、その時点で入力されている検索条件を含む検索パラメータがＬＤＡＰサーバ３１に送られ、宛先情報の先行検索が行われる。このとき、検索パラメータsizelimit、timelimit、typesOnly及びattributesのうちの１つ以上について、検索結果としてＬＤＡＰサーバ３１から読み出される情報量を抑制するようなパラメータが用いられる。ＬＤＡＰサーバ３１は、複合装置１０から与えれた検索パラメータに基づいて検索処理を行い、その検索結果（抽出した宛先情報）を複合装置１０に送出する（ステップＳ３１）。
【００５５】
ステップＳ２３では、先行検索部１１ｂは、先行検索によりＬＤＡＰサーバ１０から送られてきた宛先情報の件数が所定件数以上か否かを判断し、所定件数以上である場合には、ステップＳ２４にてその件数を表示部１５に表示させてステップＳ２７に進む一方、抽出された宛先情報の件数が所定件数未満である場合には、ステップＳ２５に進む。
【００５６】
ステップＳ２５では、先行検索部１１ｂは、その時点で入力されている検索条件に基づき、本検索部１１ａによる本検索と同様な検索パラメータ（通常パラメータ）を用いた再検索を行う。より具体的には、検索パラメータsizelimit、timelimit、typesOnly及びattributesとして本検索部１１ａによる本検索と同様なパラメータが用いられ、それらの検索パラメータにその時点で入力されている検索条件が含められて、ＬＤＡＰサーバ３１に再度送られる。ＬＤＡＰサーバ３１は、複合装置１０から与えれた検索パラメータに基づいて検索処理を行い、その検索結果（抽出した宛先情報）を複合装置１０に送出する（ステップＳ３２）。
【００５７】
ステップＳ２６では、先行検索部１１ｂは、ＬＤＡＰサーバ１０から検索結果として送られてきた宛先情報を表示部１５に表示し、ステップＳ２７に進む。その表示された宛先情報の中に所望の宛先情報が含まれている場合には、操作部１６等を介してその宛先情報を送信情報の送信先として指定することができる。
【００５８】
ステップＳ２７では、本検索部１１ａにより、操作部１６を介して本検索の実行を指示する検索実行指示が入力されたか否かが判断され、検索実行指示が入力されなた場合には、ステップＳ２８に進む一方、検索実行指示が入力されない場合にはステップＳ２１に戻る。
【００５９】
ステップＳ２８では、本検索部１１ａにより、その時点で入力されている検索条件を含む通常設定の検索パラメータがＬＤＡＰサーバ３１に送られ、宛先情報の先行検索が行われる。ＬＤＡＰサーバ３１は、複合装置１０から与えれた検索パラメータに基づいて検索処理を行い、その検索結果（抽出した宛先情報）を複合装置１０に送出する（ステップＳ３３）。
【００６０】
ステップＳ２９では、本検索部１１ａは、ＬＤＡＰサーバ１０から検索結果として送られてきた宛先情報を表示部１５に表示する。
【００６１】
以上のように、本実施形態によれば、上述の第１実施形態の効果に加えて以下のような効果が得られる。すなわち、本実施形態では、先行検索部１１ｂによる先行検索により抽出された宛先情報の件数が所定件数以上である場合には、抽出された宛先情報の件数のみが表示部１５に表示される一方、抽出された宛先情報の件数が所定件数未満である場合には、その時点で入力されている検索条件に基づき、本検索部１１ａによる本検索と同様な検索パラメータ（通常パラメータ）を用いた再検索が行われ、それにより抽出された宛先情報が表示部１５に表示される。このように、先行検索部１１ｂによる先行検索によって得られた宛先情報の件数が所定件数未満であるような場合には、抽出された宛先情報を表示してもユーザの確認負担も軽いため、その時点における検索条件に基づいて先行検索部１１ｂに本検索部１１ａと同様な態様で再検索を行わせ、それによって抽出された宛先情報を表示させることにより、ユーザの確認負担を抑制しつつ、所望の宛先情報の迅速な取得を促すことができる。
【００６２】
なお、上述の各実施形態では、宛先情報記憶装置としてＬＤＡＰサーバ３１を用いたが、ネットワーク２１を介して複合装置１０と接続可能なものであれば任意の記憶装置を宛先情報記憶装置として採用するができる。
【図面の簡単な説明】
【００６３】
【図１】本発明の第１実施形態に係る通信装置としてのファクシミリ複合装置のブロック図である。
【図２】ＬＤＡＰ検索パラメータを示す図である。
【図３】本検索時の検索パラメータ例を示す図である。
【図４】先行検索時の通信量を減らす検索パラメータ例を示す図である。
【図５】図１のファクシミリ複合装置による宛先情報の検索動作に関するフローチャートである。
【図６】本発明の第２実施形態に係る通信装置としてのファクシミリ複合装置の宛先情報の検索動作に関するフローチャートである。
【符号の説明】
【００６４】
１０  ファクシミリ複合装置
１１  制御部
１１ａ  本検索部
１１ｂ  先行検索部
１５  表示部
１６  操作部
２１  ネットワーク
３１  ＬＤＡＰサーバ
【図１】
2008217705.tif 000003
【図２】
2008217705.tif 000004
【図３】
2008217705.tif 000005
【図４】
2008217705.tif 000006
【図５】
2008217705.tif 000007
【図６】
2008217705.tif 000008